(57)【特許請求の範囲】
【請求項１】
受話音声経路からＤＴＭＦ信号の検出を行う第１のＤＴＭＦ信号検出部と、送話音声経路からＤＴＭＦ信号の検出を行う第２のＤＴＭＦ信号検出部と、前記第１のＤＴＭＦ信号検出部がＤＴＭＦ信号を検出した場合、前記第１のＤＴＭＦ信号検出部が検出したＤＴＭＦ信号の内容と前記第２のＤＴＭＦ信号検出部が検出したＤＴＭＦ信号の内容とが同一であるか否かを判定することによりＤＴＭＦ信号の有無を判定する検出結果判定部と、前記検出結果判定部のＤＴＭＦ信号の有無の判定結果に応じて装置の動作を制御する装置制御部と、を備えたことを特徴とする電話機。
【請求項２】
前記第１のＤＴＭＦ信号検出部が検出したＤＴＭＦ信号の内容と前記第２のＤＴＭＦ信号検出部が検出したＤＴＭＦ信号の内容とが同一であるとき、前記検出結果判定部は、ＤＴＭＦ信号がないと判定し、前記第１のＤＴＭＦ信号検出部が検出したＤＴＭＦ信号の内容と前記第２のＤＴＭＦ信号検出部が検出したＤＴＭＦ信号の内容とが同一でないとき、前記検出結果判定部は、ＤＴＭＦ信号があると判定することを特徴とする請求項１記載の電話機。
【発明の詳細な説明】
【０００１】
【発明の属する技術分野】
本発明は、dual tone multi-frequency 信号(以下ＤＴＭＦ信号という)により装置動作を制御する機能を有するすべての電話機、移動体通信機器に関し、以下これを電話機と総称するものとする。
【０００２】
【従来の技術】
局線から受信したＤＴＭＦ信号の検出装置を含む従来の電話機の各例について図面を参照しつつ説明する。図３は従来の電話機の第１例の回路構成を示すブロック図、図４は従来の電話機の第２例の回路構成を示すブロック図、図５は従来の電話機の第３例の回路構成を示すブロック図、図６は従来の電話機の第４例の回路構成を示すブロック図である。
【０００３】
まず、図３の例について説明するに、この回路においては局線30からの受信信号について２線４線変換回路31を経由してＤＴＭＦ検出部32によりＤＴＭＦ信号の検出を行い、ＤＴＭＦ信号の有信号情報および信号内容を装置制御部33に通知する。装置制御部33は局線からＤＴＭＦ信号を受信したＤＴＭＦ検出部32によりＤＴＭＦ信号の検出が行われているのと同時に、音声録音部34に音声が録音され、または音声再生部35により音声が再生され、その音声が通話制御部36を介して局線30に対して送出されている場合や、通話中などの集音マイク38から話者音声が入力され、その音声信号が局線30に送出されている場合には、音声再生部35や集音マイク38からの送出音声信号が２線４線変換部31により側音として受話音声経路に回り込み、ＤＴＭＦ信号と誤検出してしまうおそれがある。また、音声再生部35から再生送出される音声信号のなかにＤＴＭＦ信号が含まれている場合には、その側音により、やはり局線30からのＤＴＭＦ信号と誤検出してしまう結果となる。
【０００４】
次に図４の例について説明するに、図４に示す回路構成は、図３に示す回路構成に対して、２線４線変換回路31とＤＴＭＦ検出部32との間にエコーキャンセラ部40を挿入したものであり、その他の構成は同一であるため、同一部分には同一符号を付しその詳細な説明は省略する。この構成では、音声再生部35、または集音マイク38からの局線30への送出信号の側音をエコーキャンセラ部40により除去することによりＤＴＭＦ検出部32における側音による誤検出を低減することができる。しかしながら、この構成ではエコーキャンセラ部40が十分なエコー低減量を得られない場合には、実質的に図３のものと同一構成となり、側音による誤検出が発生する。一般的に、エコーキャンセラ部40はエコー経路の伝達特性が非線形性を有する場合、十分なエコー低減量を得ることができないが、電話機の２線４線変換部31では接続されている線路条件によって側音に信号歪みが発生することが多く、側音経路すなわちエコー経路が十分な線形性を有することは非常に困難であり、エコーキャンセラ部40を挿入した図４の構成では、接続される線路条件によっては、側音による誤検出を完全に除去することは不可能であるばかりでなく、エコーキャンセラ40を挿入することはコスト的にも不利である。
【０００５】
次に図５の例について説明するに、図５に示す回路構成は、図３に示す回路構成に対して、送話音声経路に装置制御部33によって制御される音声切断部50を挿入したものであり、その他の構成は同一であるため、同一部分には同一符号を付しその詳細な説明は省略する。この構成では、装置制御部33は、ＤＴＭＦ検出部32からＤＴＭＦ信号有りとの検出結果を通知された場合、一時的に音声切断部50により局線30への送話信号を切断する。このとき、ＤＴＭＦ検出部32が側音により誤検出していた場合には、送話信号の切断により、検出結果はＤＴＭＦ信号無しとの検出結果に変化する。これにより装置制御部33は、ＤＴＭＦ検出部32からの有信号情報が、側音による誤検出であったと判定する。ＤＴＭＦ信号有りとの検出結果が側音による誤検出でなければ、送話信号を切断した後もＤＴＭＦ信号有りとの検出結果が継続されて通知され、装置制御部33は局線から受信したＤＴＭＦ信号により有信号情報が通知されていると判定し、その信号内容に応じた制御を行う。しかしながら、この構成の場合、送話音声による誤検出により送話音声の切断が発生し、相手話者に違和感を与えるという問題がある外、ＤＴＭＦ検出部32から装置制御部33に対しＤＴＭＦ信号の有信号情報が通知されている間に送話信号の切断を同時に行う必要があり、ＤＴＭＦ信号が入力されてから有信号情報の通知を行うまでの検出遅延時間が大きいと、実際の信号入力タイミングと、送話信号切断のタイミングに時間差が生じるため、信号切断を行った後も検出結果が変化しないという問題がある。
【０００６】
次に図６の例について説明するに、図６に示す回路構成は、図３に示す回路構成に対して、送話音声経路にＤＴＭＦ周波数除去フィルタ60を挿入したものであり、その他の構成は同一であるため、同一部分には同一符号を付しその詳細な説明は省略する。この場合、送話信号からＤＴＭＦ信号の周波数成分を除去するため、側音により誤検出が発生することはないが、話者の音声からＤＴＭＦ信号と同じ成分が除去されるため送話音質を劣化させるという問題がある。
【０００７】
【発明が解決しようとする課題】
このように図３の構成では２線４線変換回路による側音の受話経路への回り込みによる誤検出の発生、図４の構成では、エコーキャンセラにより誤検出の頻度は低減されるものの、接続される電話回線の条件による誤検出の発生、図５の構成では局線への送出信号を一時切断するための、話者への違和感と、ＤＴＭＦ検出部の検出遅延時間が非常に小さい場合にしか誤検出を除去する効果がないという問題点があり、また、図６の構成では、話者音声からＤＴＭＦ信号の周波数成分を除去するため、話者音声の音質が劣化してしまうという、各従来例とも種々の問題点を有している。
【０００８】
本発明は上記従来の問題点を解決するものであり、話者音声の音質を劣化させることなく、かつ側音によるＤＴＭＦ信号の誤検出を除去し得る電話機を提供することを目的とする。
【０００９】
【課題を解決するための手段】
本発明の電話機は、受話音声経路からＤＴＭＦ信号の検出を行う第１のＤＴＭＦ信号検出部と、送話音声経路からＤＴＭＦ信号の検出を行う第２のＤＴＭＦ信号検出部と、前記第１のＤＴＭＦ信号検出部がＤＴＭＦ信号を検出した場合、前記第１のＤＴＭＦ信号検出部が検出したＤＴＭＦ信号の内容と前記第２のＤＴＭＦ信号検出部が検出したＤＴＭＦ信号の内容とが同一であるか否かを判定することによりＤＴＭＦ信号の有無を判定する検出結果判定部と、前記検出結果判定部のＤＴＭＦ信号の有無の判定結果に応じて装置の動作を制御する装置制御部と、を備えたものである。
【００１０】
この発明によれば、話者音声の音質を劣化させることなく、かつ側音によるＤＴＭＦ信号の誤検出を除去することができる。
【００１１】
【発明の実施の形態】
図１は本発明の電話機の実施の形態の参考例における回路構成を示すブロック図であり、図中、10は接続されている局線、11は２線４線変換回路、12および13はそれぞれ受話音声経路と送話音声経路に接続されている一対のＤＴＭＦ検出部、14はＤＴＭＦ検出部12およびＤＴＭＦ検出部13の検出結果を比較判定する検出結果判定部、15は電話機全体の動作を制御する装置制御部、16は受話音声の録音などを行う音声録音部、17は音声録音部16や電話機があらかじめ保持している音声データなどを再生する音声再生部、18は局線への送出信号の発生元を音声再生部17や、集音マイク110などに切り替える通話制御部、19は受話音声を音響信号に変換するレシーバ、110は話者の音声を電気信号に変換する集音マイクである。
【００１２】
ここで、検出結果判定部14は、受話側のＤＴＭＦ検出部12からの有信号情報が通知され、送話側のＤＴＭＦ検出部13からはＤＴＭＦ信号が無いとの通知をされている場合のみ、装置制御部15にＤＴＭＦ信号有りとの通知を行い、受話側のＤＴＭＦ検出部12と送話側のＤＴＭＦ検出部13との両方から有信号情報が通知されている場合には装置制御部15にＤＴＭＦ信号有りとの通知を行わないように動作する。電話機が局線10と接続されており、局線10からの受話信号中のＤＴＭＦ信号を検出し、その信号内容により、電話機の動作を制御する場合、音声再生部17から、使用者への動作を促すガイダンス音声や、留守番自動応答時の音声メッセージなどが局線へ送出されていることがあり、また、集音マイク110から話者の音声が局線へ送出される場合もある。これらの場合、局線10への送出音声は２線４線変換回路11により発生する側音となって受話音声経路に回り込み、受話音声経路に接続されているＤＴＭＦ検出部12に入力されると共に送話音声経路に接続されているＤＴＭＦ検出部13にも同時に入力される。
【００１３】
次にこの側音によりＤＴＭＦ検出部12において誤ってＤＴＭＦ信号が検出される場合の動作について以下に示す。側音が入力されたことにより受話側のＤＴＭＦ検出部12が誤ってＤＴＭＦ信号を検出した場合、検出結果判定部14にＤＴＭＦ信号の有信号情報を検出結果として通知する。このとき、側音の元になっている送話音声は送話側ＤＴＭＦ検出部13に入力されているため、ＤＴＭＦ検出部13でもＤＴＭＦ信号が有りと判定され、有信号情報を検出結果として検出結果判定部14に通知する。このように両方のＤＴＭＦ検出部12およびＤＴＭＦ検出部13から有信号情報が通知されている場合には、検出結果判定部14は装置制御部15に対し、ＤＴＭＦ信号有りとの通知を行わないため、装置はＤＴＭＦ検出部12により誤検出された信号内容により誤った動作を行うことはない。
【００１４】
また、次に局線からＤＴＭＦ信号を受信した場合の動作について述べる。この場合には、ＤＴＭＦ信号は受話音声経路に接続されているＤＴＭＦ検出部12に入力されるため、ＤＴＭＦ検出部12から検出結果判定部14に有信号情報が通知される。しかし、送話音声経路に接続されているＤＴＭＦ検出部13には、局線10からの受話信号は入力されないため、ＤＴＭＦ検出部13は有信号情報を検出結果判定部14に対して通知しない。このとき検出結果判定部14は受話側のＤＴＭＦ検出部12から受信したＤＴＭＦ信号の内容を読み出し、電話機の動作を制御する。また、局線10への送出信号に含まれるＤＴＭＦ信号成分により送話側のＤＴＭＦ検出部13がＤＴＭＦ信号有りと検出している区間と、同信号の側音により受話側のＤＴＭＦ検出部12がＤＴＭＦ信号有りと検出している区間とには、若干の時間差が生じることがあり、この場合、側音が入力されているときでも、受話側のＤＴＭＦ検出部12のみＤＴＭＦ信号有りと検出され、送話側ＤＴＭＦ検出部13ではＤＴＭＦ信号無しと検出されている区間が生じる。しかし、この区間は非常に短い区間であると考えられるため、あらかじめその区間の最大時間幅を把握しておけば、装置制御部15は、その最大時間幅よりも長い時間、検出結果判定部14からＤＴＭＦ信号有りとの通知が継続している場合のみ、局線からのＤＴＭＦ信号を受信していると判断することにより、やはり側音による誤検出を除去することができる。
【００１５】
以上のように、本参考例によれば、送話信号の音質を劣化させることなく、側音によるＤＴＭＦ信号の誤検出を除去することができる。
【００１６】
図２は本発明の電話機の実施の形態における回路構成を示すブロック図であり、図中、20は接続されている局線、21は２線４線変換回路、22および23はそれぞれ受話音声経路および送話音声経路に接続されている一対のＤＴＭＦ検出部、24はＤＴＭＦ検出部22およびＤＴＭＦ検出部23の検出結果を比較判定する検出結果判定部、25は電話機全体の動作を制御する装置制御部、26は受話音声の録音などを行う音声録音部、27は音声録音部26や電話機があらかじめ保持している音声データなどを再生する音声再生部、28は局線への送出信号の発生元を音声再生部27や、集音マイク210などに切り替える通話制御部、29は受話音声を音響信号に変換するレシーバ、210は話者の音声を電気信号に変換する集音マイク、211は受話側のＤＴＭＦ検出部22と送話側のＤＴＭＦ検出部23の双方の検出した信号の内容を比較するＤＴＭＦ信号内容比較部である。
【００１７】
ここで、次にその動作を説明する。ＤＴＭＦ信号内容比較部211は、受話側のＤＴＭＦ検出部22が検出した信号の内容と、送話側のＤＴＭＦ検出部23が検出した信号の内容とを比較し、その内容が同一の内容か、異なる内容であるかを、検出結果判定部24に通知する。検出結果判定部24は、受話側のＤＴＭＦ検出部22からの有信号情報が通知され、送話側のＤＴＭＦ検出部23からはＤＴＭＦ信号が無いとの通知をされている場合は、前記参考例と同様に、装置制御部25にＤＴＭＦ信号有りとの通知を行う。また、送話側のＤＴＭＦ検出部23からのみ有信号情報が通知されている場合にも、参考例と同様に装置制御部25にＤＴＭＦ信号有りとの通知を行わないように動作する。この参考例と異なる動作を行うのは受話側のＤＴＭＦ検出部22と、送話側のＤＴＭＦ検出部23との両方から有信号情報が通知されている場合である。このとき参考例では、装置制御部25に対し、ＤＴＭＦ信号有りとの通知を行わないが、本実施の形態では、この場合ＤＴＭＦ信号内容比較部211の比較結果が、双方のＤＴＭＦ信号の内容が異なると判定した場合、検出結果判定部24は装置制御部25に対し、ＤＴＭＦ信号有りと通知する。逆に双方のＤＴＭＦ信号の内容が同一と判定した場合は、検出結果判定部24は装置制御部25に対し、ＤＴＭＦ信号が有ることを通知しないように動作する。参考例では、局線への送出信号によりＤＴＭＦ検出部23がＤＴＭＦ信号有りと検出した時に、同時に局線からＤＴＭＦ信号を受信した場合、検出結果判定部24により、ＤＴＭＦ信号有りとの通知が装置制御部25に行かないため、局線から受信したＤＴＭＦ信号は無視されるが、本実施の形態においては、局線への送出信号により送話側ＤＴＭＦ検出部23がＤＴＭＦ信号の有信号情報を検出結果判定部24に通知しているときに、同時に局線からのＤＴＭＦ信号を受信した場合でも、その内容が異なっているときは、検出結果判定部24が装置制御部25に、ＤＴＭＦ信号有りとの通知を行うため、局線から受信したＤＴＭＦ信号により装置制御部25は電話機の動作を制御することができる。
【００１８】
以上のように、本実施の形態によれば、送話信号の音質を劣化させることなく、より確実に側音によるＤＴＭＦ信号の誤検出を除去することができる。
【００１９】
【発明の効果】
以上のように、本発明によれば、局線への送出信号に含まれるＤＴＭＦ信号の周波数成分により、それが側音として受話信号に含まれている状態で局線から受信するＤＴＭＦ信号の検出を行っている場合でも、側音による誤検出を確実に除去することが可能であり、また、局線への送出信号を切断したり、一部の周波数を除去する処理を行うことなく、側音による誤検出を除去できるため、送出信号の途切れや音質の劣化を伴わず、使用者に違和感を与えるという問題もなく側音による誤検出を除去できるという有利な効果が得られる。
【図面の簡単な説明】
【図１】  本発明の電話機の実施の形態の参考例における回路構成を示すブロック図である。
【図２】  本発明の電話機の実施の形態における回路構成を示すブロック図である。
【図３】  従来の電話機の第１例の回路構成を示すブロック図である。
【図４】  従来の電話機の第２例の回路構成を示すブロック図である。
【図５】  従来の電話機の第３例の回路構成を示すブロック図である。
【図６】  従来の電話機の第４例の回路構成を示すブロック図である。
【符号の説明】
10，20…局線、  11，21…２線４線変換回路、  12，22…受話経路ＤＴＭＦ検出部、  13，23…送話経路ＤＴＭＦ検出部、  14，24…検出結果判定部、  15，25…装置制御部、  16，26…音声録音部、  17，27…音声再生部、  18，28…通話制御部、  19，29…受話レシーバ、  110，210…集音マイク、  211…ＤＴＭＦ信号内容比較部。
【図１】
0003796596.tif 000002
【図２】
0003796596.tif 000003
【図３】
0003796596.tif 000004
【図４】
0003796596.tif 000005
【図５】
0003796596.tif 000006
【図６】
0003796596.tif 000007